(57)【特許請求の範囲】
【請求項１】
上下方向に配列された複数の扉材と、
前記複数の扉材の一方側の面上で上下方向に沿って延び、前記複数の扉材を支持する連結部材と、
を備えた収納用扉であって、
前記複数の扉材のうち、いずれか一つの前記扉材は、前記連結部材に対して相対変位不能に支持固定され、
前記複数の扉材のうち、前記支持固定された扉材を除く他の扉材は、前記連結部材に対して相対変位可能に支持されていることを特徴とする収納用扉。
【請求項２】
前記支持固定された扉材は、上下方向に配列された前記複数の扉材のうち、最も下方に位置する扉材である請求項１に記載の収納用扉。
【請求項３】
前記連結部材、及び前記支持された扉材のうちの一方には係止突起が設けられ、
前記連結部材、及び前記支持された扉材のうちの他方には、前記係止突起と係合する係合孔が形成され、
前記係止突起は、
前記連結部材、及び前記支持された扉材のうちの一方の表面から突出する軸部と、
前記軸部の先端に設けられ、該軸部の外形よりも大きな外形を有する頭部と、
を有し、
前記係合孔は、
前記頭部が挿通可能な大きさを有する大孔部と、
前記大孔部に連通されるとともに、前記大孔部の内径よりも小さく、かつ前記軸部が挿通可能な大きさを有する小孔部と、
を有する請求項１に記載の収納用扉。
【請求項４】
請求項１から３のいずれか一項に記載の収納用扉と、
前記収納用扉によって覆われる収納空間が形成された収納部と、
前記収納用扉を前記収納部に対して開閉可能に支持するヒンジ部と、
を備える収納家具。
【発明の詳細な説明】
【技術分野】
【０００１】
本発明は、収納用扉、収納家具に関する。
【背景技術】
【０００２】
収納家具として、内部に棚板等を有する収納部と、この収納部を覆う扉と、を備えたキャビネットが広く用いられている。特に、大容量のキャビネットでは、床面から天井高さ付近まで延びる長尺の扉が用いられる。ところで、このような収納家具を例えばキッチンユニットに併設する場合、キッチンユニットの意匠との統合性を実現するために、キッチンユニットの天板や吊戸棚の高さに合わせて、扉に分割線を入れる意匠が提唱されている。すなわち、上下方向に配列された複数の部材を連結することで１つの扉を形成する例が知られている。このような収納家具の具体例として、下記特許文献１に記載されたものがある。下記特許文献１には、複数の扉片によって形成された長尺の扉を有する収納家具が記載されている。
【先行技術文献】
【特許文献】
【０００３】
【特許文献１】実公平７−４６１８４号公報
【発明の概要】
【発明が解決しようとする課題】
【０００４】
ここで、収納部に収納用扉を取り付ける場合、まず収納用扉を構成する各扉材を、ヒンジ部を介して収納部にそれぞれ取り付ける。このとき、それぞれの扉材は収納部に対して閉じられた状態とされる。しかしながら、ヒンジ部には個体差があるため、上記のように収納用扉が閉じられた状態で位置合わせをしておいても、収納用扉が開かれた状態では、各扉材同士の間で位置ズレを生じることがある。すなわち、開時と閉時とで、扉材同士の相対位置が変化する場合がある。このような位置ズレに起因して、扉の開閉時にきしみ等を引き起こすこともある。
【０００５】
本発明は、上記事情に鑑みてなされたものであって、扉材同士の間で位置ズレやきしみの生じにくい収納用扉、及びこれを備える収納家具を提供することを目的とする。
【課題を解決するための手段】
【０００６】
本発明に係る収納用扉は、上下方向に配列された複数の扉材と、前記複数の扉材の一方側の面上で上下方向に沿って延び、前記複数の扉材を支持する連結部材と、を備えた収納用扉であって、前記複数の扉材のうち、いずれか一つの前記扉材は、前記連結部材に対して相対変位不能に支持固定され、前記複数の扉材のうち、前記支持固定された扉材を除く他の扉材は、前記連結部材に対して相対変位可能に支持されていることを特徴とする。
【０００７】
この構成によれば、複数の扉材のうち、支持固定された扉材のみが連結部材に対して相対変位不能とされる一方で、当該支持固定された扉材を除く扉材は連結部材に対して相対変位可能に支持されている。このため、開閉時に、扉材同士の間に歪みを生じさせる力が付加された場合であっても、支持された扉材が連結部材に対してわずかに変位するため、この力を逃がすことができる。
【０００８】
また、本発明に係る収納用扉では、前記支持固定された扉材は、上下方向に配列された前記複数の扉材のうち、最も下方に位置する扉材であってもよい。
【０００９】
この構成によれば、支持固定された扉材が最も下方に位置していることから、当該扉材よりも上方に位置する扉材（支持された扉材）を連結部材に取り付けるに際して、十分な作業性を確保することができる。
【００１０】
また、本発明に係る収納用扉では、前記連結部材、及び前記支持された扉材のうちの一方には係止突起が設けられ、前記連結部材、及び前記支持された扉材のうちの他方には、前記係止突起と係合する係合孔が形成され、前記係止突起は、前記連結部材、及び前記支持された扉材のうちの一方の表面から突出する軸部と、前記軸部の先端に設けられ、該軸部の外形よりも大きな外形を有する頭部と、を有し、前記係合孔は、前記頭部が挿通可能な大きさを有する大孔部と、前記大孔部に連通されるとともに、前記大孔部の内径よりも小さく、かつ前記軸部が挿通可能な大きさを有する小孔部と、を有してもよい。
【００１１】
この構成によれば、係止突起の頭部を、係合孔の大孔部に挿通させた後、軸部を小孔部に向かって移動させることで、小孔部が頭部に対して係合する。これにより、扉材は、連結部材に対してビス等によらずに支持される。加えて、ビス等を用いた場合に比べて、支持された扉材と連結部材との間で許容される相対変位を大きくすることができる。
【００１２】
また、本発明に係る収納家具は、上記の各態様に係る収納用扉と、前記収納用扉によって覆われる収納空間が形成された収納部と、前記収納用扉を前記収納部に対して開閉可能に支持するヒンジ部と、を備える。
【００１３】
ここで、収納部に収納用扉を取り付ける場合、まず各扉材を、ヒンジ部を介して収納部に取り付ける。このとき、それぞれの扉材は収納部に対して閉じられた状態とされる。しかしながら、ヒンジ部には個体差があるため、上記のように収納用扉が閉じられた状態で位置合わせをしても、収納用扉が開かれた状態では、各扉材同士の間で位置ズレを生じることがある。
しかしながら、上記のような構成によれば、開かれた状態における位置ズレを、支持された扉材が連結部材に対して相対変位することで吸収することができる。
【発明の効果】
【００１４】
本発明によれば、扉材同士の間で位置ズレやきしみの生じにくい収納用扉、及びこれを備える収納家具を提供することができる。
【図面の簡単な説明】
【００１５】
【図１】本発明の実施形態に係る収納家具の全体図である。
【図２】本発明の実施形態に係る扉材（固定扉材）と連結部材の組立図である。
【図３】本発明の実施形態に係る扉材（支持扉材）と連結部材の組立図である。
【発明を実施するための形態】
【００１６】
本発明の実施形態について、図１から図３を参照して説明する。この収納家具１００は、例えばキッチン等に配置されて、各種什器や調理器具を収納するために用いられる。特に、図１に示すように、本実施形態に係る収納家具１００は、キッチンユニット９０に併設して設けられる。一例として、キッチンユニット９０は、グリル９２やシンク９３が配置された天板９１と、この天板９１の下部に設けられた戸棚９４と、天板９１の上方で天井面から吊架された吊戸棚９５と、を有している。
【００１７】
さらに、同図に示すように、収納家具１００は、収納用扉１と、収納部２と、ヒンジ部３と、を備えている。収納用扉１は、上下方向に配列された複数（３つ）の扉材４と、これら扉材４同士を連結する棒状の連結部材５と、を有している。それぞれの扉材４は、互いに同等の寸法を有している。具体的には、各扉材４は正面視で略矩形をなす板状に形成されている。扉材４を構成する材料としては、例えばＭＤＦボード等の合板木材が好適に用いられる。
【００１８】
各扉材４は、後述する収納部２に対して、ヒンジ部３を介して開閉可能に支持されている。すなわち、ヒンジ部３によって各扉材４は、上下方向に延びる回転軸回りに回動可能とされる。本実施形態では、ヒンジ部３は１つの扉材４ごとに２つずつ設けられている。それぞれのヒンジ部３は、上下方向に互いに離間した位置に設けられる。なお、ヒンジ部３の設けられる数は本実施形態によっては限定されず、扉材４ごとに３つ以上のヒンジ部３が設けられていてもよい。
【００１９】
さらに、３つの扉材４は、後述する連結部材５によって、上下方向に連結されることで、収納用扉１を構成する。言い換えれば、この収納用扉１は、上下方向に３つに分割されている。収納用扉１が分割される位置は、一例として、併設されたキッチンユニット９０における戸棚９４の上端の高さ、及び吊戸棚９５の下端の高さと対応している。すなわち、本実施形態に係る収納用扉１は、キッチンユニット９０との間で、意匠の統合性を取ることを志向している。
【００２０】
上記３つの扉材４のうち、最も下方に位置する扉材４は固定扉材４１とされている。一方で、３つの扉材４のうち、固定扉材４１を除く他の２つの扉材４は支持扉材４２とされている。詳しくは後述するが、これら固定扉材４１と支持扉材４２とでは、連結部材５による支持の態様が異なっている。
【００２１】
図２に示すように、固定扉材４１の一方側の面上（すなわち、組立てられた状態において、連結部材５と対向する側の面）には、後述する固定ボルト６が挿通されるための下穴７が形成されている。なお、この下穴７の内径は、固定ボルト６の外径よりもわずかに小さく形成されることが望ましい。
【００２２】
図３に示すように、支持扉材４２の一方側の面上には、連結部材５に形成された係合孔８に係合される係止突起９が設けられている。この係止突起９は、棒状の軸部９Ａと、この軸部９Ａの先端に設けられた板状の頭部９Ｂと、軸部９Ａ及び頭部９Ｂとの間に設けられた段付き部９Ｃと、を有している。より詳細には、軸部９Ａは、支持扉材４２の表面から当該表面に交差する方向に突出している。軸部９Ａの外周面には雄ねじが形成されている。頭部９Ｂは、軸部９Ａの先端に設けられて、当該表面に沿って延びている。頭部９Ｂは、軸部９Ａの延びる方向から見ておおむね円形をなしている。頭部９Ｂの外径寸法（外形）は、軸部９Ａの外径寸法（外形）よりも大きく設定されている。段付き部９Ｃは軸部９Ａよりも大きく、かつ、頭部９Ｂよりも小さな外径寸法を有している。段付き部９Ｃの外周面は平滑な曲面状とされている。すなわち、段付き部９Ｃの外周面にはねじ溝等が形成されていない。また、段付き部９Ｃの外径寸法は、軸部９Ａの延びる方向の全域にかけて同一とされている。
【００２３】
連結部材５は、上下方向に沿って延びる略棒状の部材である。連結部材５は上下方向から見て、略矩形の断面を有している。なお、連結部材５として、予め上記の形状に成形されたアルミ形材を用いてもよい。連結部材５には、上述の各扉材４（固定扉材４１、支持扉材４２）を支持するための複数の孔部が形成されている。具体的には、１つの連結部材５には、１つの固定扉材４１を取り付けるための２つの固定孔１０と、２つの支持扉材４２を取り付けるための４つの係合孔８がそれぞれ形成されている。なお、図１に示すように、本実施形態では、２つの連結部材５が、扉材４の幅方向に離間した位置に設けられる。
【００２４】
連結部材５の延在長さのうち、上端部からおおむね２／３の領域（すなわち、支持扉材４２が取り付けられる領域）には、支持扉材４２の係止突起９を係合させるための係合孔８が設けられている。図３に示すように、係合孔８は、平面視で上下方向に連続する２つの開孔によって形成されている。これら２つの開孔のうち、上方に位置する開孔は、相対的に小さな内径を有する小孔部８１とされている。下方に位置する開孔は、相対的に大きな内径を有する大孔部８２とされている。小孔部８１と大孔部８２とは、上下方向に互いに連通している。
【００２５】
小孔部８１の内径は、大孔部８２の内径よりも小さく、かつ係止突起９の軸部９Ａの外径よりもわずかに大きく設定されている。すなわち、小孔部８１に対して、軸部９Ａは挿通可能とされている。大孔部８２の内径は、係止突起９の頭部９Ｂの外径よりもわずかに大きく設定されている。すなわち、大孔部８２に対して、頭部９Ｂは挿通可能とされている。なお、係合孔８の周辺（特に、係合孔８の上方の領域）に、発泡パッキン３０が取り付けられてもよい。発泡パッキン３０は、発泡樹脂等で形成された部材である。発泡パッキン３０が設けられることで、後述のように支持扉材４２に連結部材５を取り付けた状態において、これら支持扉材４２と連結部材５とが直接的にぶつかり合うことがなくなるとともに、音鳴りの発生を抑えることができる。
【００２６】
連結部材５を支持扉材４２に取り付けるに当たっては、図３に示すように、係止突起９の頭部９Ｂを係合孔８の大孔部８２に挿通させた後、連結部材５を下方に移動させる。これにより、係止突起９の軸部９Ａ、及び段付き部９Ｃが小孔部８１に挿通されるとともに、段付き部９Ｃが小孔部８１の周縁部に対して径方向から当接する。これにより、係止突起９に係合孔８が係合する。なお、上記のように、軸部９Ａの外径は、小径孔の内径よりもわずかに小さいことから、段付き部９Ｃと小孔部８１とが係合しながらも、支持扉材４２及び連結部材５は、互いにわずかに相対変位可能となっている。
【００２７】
一方で、連結部材５の延在長さのうち、下端部からおおむね１／３の領域（すなわち、固定扉材４１が取り付けられる領域）には、固定扉材４１を支持固定するための固定孔１０が形成されている。図２に示すように、固定孔１０は、連結部材５の表面でおおむね円形に開孔している。この固定孔１０には、固定ボルト６が挿通される。詳しくは図示しないが、固定孔１０内には、固定ボルト６がねじ込まれるナットとして、具体的には鬼目ナット等が設けられている。同図に示すように、固定ボルト６は、固定孔１０に挿通された状態で、固定扉材４１の裏面にねじ込まれる。すなわち、連結部材５は、固定ボルト６と固定扉材４１とによって、自身の厚さ方向両側から挟み込まれた状態となる。これにより、固定扉材４１と連結部材５とが相対変位不能に固定される。なお、固定孔１０の周辺（特に、固定孔１０の上方の領域）に、上記と同様に、発泡パッキン３０が取り付けられてもよい。発泡パッキン３０が設けられることで、固定扉材４１に連結部材５を取り付けた状態において、これら固定扉材４１と連結部材５とが直接的にぶつかり合うことがなくなるとともに、音鳴りの発生を抑えることができる。
【００２８】
収納部２は、扉材４と同等の材料で形成された略箱状の部材である。より具体的には、収納部２は、上下方向に延びる一対の側板２１と、これら側板２１同士の間に略水平方向に架け渡された複数（２つ）の棚板２２と、収納部２の奥側（すなわち、キッチンの壁面を臨む側）を覆う裏板２３と、天井面に対向する上部板２４と、上部板２４の下方に離間して設けられる底板２５と、を有している。これら側板２１、裏板２３、上部板２４、及び裏板２３によって囲まれる空間は、上記の什器や調理器具等が収容される収納空間２６とされている。
【００２９】
棚板２２は、上記の収納空間２６内を、３つの領域に区画している。詳しくは図示しないが、これら棚板２２は、一対の側板２１にそれぞれ設けられた突起によって下方から支持されている。なお、上下方向における棚板２２の位置は、図１に示すように、互いに隣り合う３つの扉材４同士の境目（分割線）の位置に対応していることが望ましい。
【００３０】
続いて、本実施形態に係る収納家具１００の組立方法の一例について説明する。
収納家具１００を組み立てるに当たっては、まず、底板２５、側板２１、裏板２３、及び上部板２４を箱状に組み合わせることで収納部２を形成する。組み立てられた収納部２に対して、ヒンジ部３を取り付ける。本実施形態では、収納用扉１は３つの扉材４を有することから、合計６つのヒンジ部３を、収納部２に取り付ける。より詳細には、一対の側板２１のうち、一方の側板２１にヒンジ部３が取り付けられる。ヒンジ部３は、一方の側板２１の内側（すなわち、他方の側板２１に対向する側）に取り付けられる。
【００３１】
以上のような状態から、下から２つのヒンジ部３に対して、扉材４（固定扉材４１）を取り付ける。その後、残余の２つの扉材４（支持扉材４２）を、各ヒンジ部３に対して取り付ける。なお、この状態では、各扉材４は互いに独立して開閉可能な状態となっている。
【００３２】
上記の状態から、各扉材４に対して連結部材５を取り付ける。上述したように、連結部材５には、支持扉材４２を取り付けるための４つの係合孔８と、固定扉材４１を取り付けるための２つの固定孔１０とが形成されている。まず、４つの係合孔８に対して、２つの支持扉材４２に形成された合計４つの係止突起９をそれぞれ挿通させる。続いて、連結部材５をわずかに下方に移動させる。これにより、係合孔８の小孔部８１に、係止突起９の頭部９Ｂが係合される。同様にして、他方の連結部材５を支持扉材４２に取り付ける。以上により、２つの連結部材５が２つの連結部材５に対して相対変位可能に支持された状態となる。
【００３３】
続いて、最も下方に位置する固定扉材４１に、連結部材５を固定する。具体的には、上述したように、一方の連結部材５に設けられた固定孔１０に対して、固定ボルト６をねじ込むことで、連結部材５は固定扉材４１に固定される。同様にして、他方の連結部材５を固定扉材４１に取り付ける。これにより、２つの連結部材５が、固定扉材４１に固定される。
以上で、本実施形態に係る収納家具１００の組立てが完了する。
【００３４】
ここで、上記のように、収納部２に収納用扉１を取り付ける場合、まず収納用扉１を構成する各扉材４を、ヒンジ部３を介して収納部２にそれぞれ取り付ける。このとき、それぞれの扉材４は収納部２に対して閉じられた状態とされる。しかしながら、ヒンジ部３には個体差があるため、上記のように収納用扉１が閉じられた状態で位置合わせをしておいても、収納用扉１が開かれた状態では、各扉材４同士の間で位置ズレを生じることがある。すなわち、開時と閉時とで、扉材４同士の相対位置が変化する場合がある。このような位置ズレに起因して、扉の開閉時にきしみ等を引き起こすこともある。しかしながら、上記のような構成によれば、２つの支持扉材４２が連結部材５に対して相対変位することで、収納用扉１が開かれた状態における位置ズレを吸収することができる。これにより、収納用扉１の歪みが抑制されるとともに、きしみ等の発生する虞を低減することができる。
【００３５】
さらに、上記の構成によれば、固定扉材４１は最も下方に位置していることから、当該固定扉材４１よりも上方に位置する扉材４（支持扉材４２）を連結部材５に取り付けるに際して、十分な作業性を確保することができる。
【００３６】
加えて、上記の構成によれば、係止突起９の頭部９Ｂを、係合孔８の大孔部８２に挿通させた後、軸部９Ａを小孔部８１に向かって移動させることで、小孔部８１が頭部９Ｂに対して係合する。これにより、支持扉材４２は、連結部材５に対してビス等によらずに支持される。また、ビス等を用いた場合に比べて、支持扉材４２と連結部材５との間で許容される相対変位を大きくすることができる。
【００３７】
以上、本実施形態に係る収納用扉１、及びこれを備える収納家具１００について図面を参照して説明した。しかしながら、上記の構成はあくまで一例に過ぎず、本発明の要旨を逸脱しない限りにおいて、種々の変更を加えることが可能である。
【００３８】
例えば、上記の実施形態では、３つの扉材４のうち、１つの扉材４を固定扉材４１とした例について説明した。しかしながら、固定扉材４１の数はこれに限定されず、２つであってもよい。さらに、扉材４の数は３つに限定されず、設計や仕様に応じて、４つや５つ以上であってもよい。
さらに、扉材４の設けられる数は上記の実施形態によっては限定されず、例えば扉材４の数は２つ以下であってもよい。
【００３９】
さらに、固定扉材４１の位置は、上記に限定されず、作業性を損なわない限りにおいて、３つの扉材４のうち、最も上方に位置する扉材４を固定扉材４１としてもよいし、上から２つ目の扉材４を固定扉材４１としてもよい。
【符号の説明】
【００４０】
１…収納用扉
２…収納部
３…ヒンジ部
４…扉材
５…連結部材
６…固定ボルト
７…下穴
８…係合孔
９…係止突起
９Ａ…軸部
９Ｂ…頭部
９Ｃ…段付き部
１０…固定孔
２１…側板
２２…棚板
２３…裏板
２４…上部板
２５…底板
２６…収納空間
３０…発泡パッキン
４１…固定扉材
４２…支持扉材
８１…小孔部
８２…大孔部
９０…キッチンユニット
９１…天板
９２…グリル
９３…シンク
９４…戸棚
９５…吊戸棚
１００…収納家具
【図１】
0006560129.tif 000002
【図２】
0006560129.tif 000003
【図３】
0006560129.tif 000004